(57)【特許請求の範囲】
【請求項１】
計器の見返しの外面側に導光部材を配置し、該見返しの孔部からケース内に該導光部材の後端部を挿入して、該ケース内の光源の光を該導光部材の前端部側に導いて該見返しの開口から文字板を照明する計器の照明構造において、
前記導光部材が、前後方向に長い棒状の導光部材本体と、該導光部材本体の後端部側に設けられ、前記孔部の周縁に当接する鍔部と、該導光部材本体の前端部側に設けられた頭部とを備え、前記見返しが、該頭部の被係止部に係合する係止部と、該頭部の被位置決め部に係合する位置決め部と、該頭部を支える支持部とを備え、
該導光部材本体の後端部が前記孔部に挿入されて該鍔部が該孔部の周縁に当接した状態で、該鍔部を支点に該導光部材本体の前端部側が前記開口に向けて回動されることで、該被係止部が該係止部に係合され、該被位置決め部が該位置決め部に係合され、該頭部が該支持部で支えられることを特徴とする計器の照明構造。
【請求項２】
前記被係止部が開口であり、前記係止部が左右一対の係止爪であり、前記被位置決め部が左右一対のリブであり、前記位置決め部が該リブ間に進入する突板であり、前記支持部が、前記頭部の左右方向の凹溝に係合する壁部を備えたことを特徴とする請求項１記載の計器の照明構造。
【請求項３】
前記孔部から前記支持部までの範囲で前記見返しに、前記導光部材本体及び前記鍔部を案内且つ収容する左右一対のガイド壁が設けられたことを特徴とする請求項１又は２記載の計器の照明構造。
【発明の詳細な説明】
【技術分野】
【０００１】
本発明は、例えば自動車のスピードメータやタコメータ等といった計器の文字板を照明するための略棒状の導光部材をワンタッチで取り付けできるようにした計器の照明構造に関するものである。
【背景技術】
【０００２】
従来、自動車のスピードメータやタコメータ等といった計器において、文字板の照明を行わせるために、種々の照明構造が提案されている。
【０００３】
例えば、特許文献１には、見返しに突設した係止爪を文字板とその裏側の導光板との切欠部に係合させ、文字板と見返しとの間に隙間を設け、導光板の裏側に内機（駆動部）を配置し、内機の裏側のメータケース側に設けた光源の射出光を見返しに反射させて文字板を照明することが記載されている。
【０００４】
また、特許文献２には、ケースにテーパ状の反射面を設け、反射面の中心の開口内に環状の導光部材を配置してケースと一体の固定爪に係止させ、導光部材の中心孔に指針の軸部を貫通して配線板の裏側のムーブメント（駆動部）に連結し、配線板上の光源（ＬＥＤ）を導光部材の裏側に近接して設け、光源の射出光を導光部材で反射面に導くことが記載されている。
【０００５】
また、特許文献３には、ケースの下側に光導板を配置し、光導板の後端部を光源に接し、光導板の前端部を透明カバーの手前で上向きに屈曲させて反射面とし、光源からの光を光導板を経て反射面で斜め後方上向きに反射させて文字板を照射することが記載されている。
【先行技術文献】
【特許文献】
【０００６】
【特許文献１】特開平９−２３６４５７号公報（図４）
【特許文献２】特開２００９−２９４０７６号公報（図１）
【特許文献３】特開平１０−２３９１１４号公報（図１，図２）
【発明の概要】
【発明が解決しようとする課題】
【０００７】
しかしながら、上記従来の特許文献３に記載された計器の照明構造において、あるいは図６に示すような計器７１において例えば計器７１の上部見返し７２ａの上側に棒状の導光部材（図示せず）を配設し、文字板７３の裏側の回路基板上の光源の射出光を導光部材に導いて上部見返し７２ａの開口から文字板表面を照明するようにした場合等に、導光部材の固定をねじ締めや他の部材を介して行わなければならず、導光部材の取付作業性が悪く、導光部材の取付に多くの手間がかかるという問題を生じた。
【０００８】
図６において、符号７２は見返し、７２ａは上部見返し、７４は透明表カバー（表硝子）、７３は文字板、７５は指針、７６はトリップノブ、７７はウィンカ表示部、をそれぞれ示し、ウィンカ表示部７７の右側にシフトインジケータ（図示せず）が配置され、その右側にタコメータ（図示せず）が配置される。
【０００９】
本発明は、上記した点に鑑み、例えば計器の見返しの外側に棒状の導光部材を配設し、文字板の裏側の回路基板上の光源の射出光を導光部材に導いて見返しの開口から文字板表面を照明する場合においても、導光部材の取付を作業性良く簡単に行うことのできる計器の照明構造を提供することを目的とする。
【課題を解決するための手段】
【００１０】
上記目的を達成するために、本発明の請求項１に係る計器の照明構造は、計器の見返しの外面側に導光部材を配置し、該見返しの孔部からケース内に該導光部材の後端部を挿入して、該ケース内の光源の光を該導光部材の前端部側に導いて該見返しの開口から文字板を照明する計器の照明構造において、前記導光部材が、前後方向に長い棒状の導光部材本体と、該導光部材本体の後端部側に設けられ、前記孔部の周縁に当接する鍔部と、該導光部材本体の前端部側に設けられた頭部とを備え、前記見返しが、該頭部の被係止部に係合する係止部と、該頭部の被位置決め部に係合する位置決め部と、該頭部を支える支持部とを備え、該導光部材本体の後端部が前記孔部に挿入されて該鍔部が該孔部の周縁に当接した状態で、該鍔部を支点に該導光部材本体の前端部側が前記開口に向けて回動されることで、該被係止部が該係止部に係合され、該被位置決め部が該位置決め部に係合され、該頭部が該支持部で支えられることを特徴とする。
【００１１】
上記構成により、見返しの孔部に導光部材本体の後端部が挿入されつつ、鍔部が孔部の周縁に当接して、導光部材の長手方向（前後方向）の位置決めが行われ、その状態で導光部材の頭部が見返しの支持部に向けて押圧されることで、頭部の被位置決め部が位置決めで位置決めされつつ、頭部の被係止部が係止部でスムーズ且つ確実に係止され、その状態で頭部が支持部で安定に支持される。導光部材本体は透明（透光性）であるが、頭部や鍔部は透明である必要はない。光源の射出光は導光部材本体の後端から導光部材長手方向に案内されて前端側の傾斜状の反射面で反射され、見返しの開口から文字板を照明する。導光部材は鍔部を支点に支持部に向けて回動しつつ頭部を位置決め部で位置決めされて係止部で係止される。
【００１２】
請求項２に係る計器の照明構造は、請求項１記載の計器の照明構造において、前記被係止部が開口であり、前記係止部が左右一対の係止爪であり、前記被位置決め部が左右一対のリブであり、前記位置決め部が該リブ間に進入する突板であり、前記支持部が、前記頭部の左右方向の凹溝に係合する壁部を備えたことを特徴とする。
【００１３】
上記構成により、頭部の左右すなわち導光部材幅方向（短手方向）の一対のリブの間に突板が進入係合して頭部が左右方向に位置決めされつつ、頭部の開口に係止爪が進入係合し、それと同時に支持部の壁部が頭部の左右方向に延びる（横断方向の）凹溝に係合することで、頭部が前後方向に位置決めされつつ壁部で上下方向に安定に支持される。
【００１４】
請求項３に係る計器の照明構造は、請求項１又は２記載の計器の照明構造において、前記孔部から前記支持部までの範囲で前記見返しに、前記導光部材本体及び前記鍔部を案内且つ収容する左右一対のガイド壁が設けられたことを特徴とする。
【００１５】
上記構成により、一対のガイド壁の内面に沿って鍔部がスムーズに案内されつつ、導光部材本体の後端部が孔部に挿入され、一対のガイド壁の内面に沿って導光部材本体がスムーズに案内されつつ、頭部が支持部に向けて概略的に位置決めされる。導光部材本体が一対のガイド壁内に収容されることで、外部への光漏れが防止される。一対のガイド壁は、鍔部に対する幅広の内部空間を有する部分と、導光部材本体に対する幅狭の内部空間を有する部分とで成る。
【発明の効果】
【００１６】
請求項１記載の発明によれば、導光部材の後端部を見返しの孔部に挿入しつつ鍔部を孔部の周縁に当接させることで、導光部材の長手方向の位置決めを行うことができ、その状態で頭部を支持部に向けて押し付けることで、頭部を位置決め部で位置決めしつつ係止部にスムーズ且つ確実に係合させることができるから、見返しへの導光部材の組付を作業性良く簡単且つ確実に行うことができる。
【００１７】
請求項２記載の発明によれば、頭部を一対のリブと突板との係合で左右方向に位置決めすなわち心出しして、その状態で係止爪を頭部の開口にスムーズ且つ確実に係合させることができ、それと同時に支持部の壁部を横断方向の凹溝に係合させることで、頭部を前後方向に位置決めしつつ、壁部で頭部を上下方向に安定に支持させることができる。これにより、頭部の位置決め性及び係止性を高めることができる。
【００１８】
請求項３記載の発明によれば、導光部材を一対のガイド壁内に差し込むように案内させることで、導光部材本体の後端部を見返しの孔部内にスムーズ且つ容易に挿入させることができると共に、頭部を支持部等に対して左右方向にスムーズに位置決めさせて、見返しへの導光部材の組付性を高めることができる。
【図面の簡単な説明】
【００１９】
【図１】本発明に係る計器の照明構造の一実施形態を示す縦断面図である。
【図２】計器の照明構造の要部を示す分解斜視図である。
【図３】計器の照明構造の要部を示す導光部材組付前の縦断面図である。
【図４】計器の照明構造の要部を示す導光部材組付後の縦断面図である。
【図５】導光部材の頭部の組付構造の一形態を示す、（ａ）は正面図、（ｂ）は平面図である。
【図６】既存の自動車用の計器の一形態の外観を示す正面図である。
【発明を実施するための形態】
【００２０】
図１〜図５は、本発明に係る計器の照明構造の一実施形態を示すものである。
【００２１】
図１の如く、この計器の照明構造は、ケース２の前側に見返し３を装着し、見返し３の前部に透明カバー４を装着し、ケース２と見返し３の間に文字板５を配設し、ケース２の後部に回路基板６とその裏側の駆動部７とを配設し、文字板５の表面側に指針８を配置し、指針８の軸部９を駆動部７に連結し、駆動部７と回路基板６とを裏カバー１０で覆い、見返し３の傾斜状の上壁１１の上面に沿って、上壁１１の上側（外側）に透明な略棒状の導光部材１２を装着し、導光部材１２の基端（後端）１３ａを回路基板６の上部表面の光源１４に近接させ、導光部材１２の前端部（先端部）１５を見返し上壁１１の開口１６内に位置させて、光源１４の射出光を導光部材１２の基端１３ａから前端部１５に導き、前端部１５から文字板５に照射して、文字板５を照明するようにした計器１におけるものである。
【００２２】
すなわち、見返し３の後側上部の垂直壁１７とケース２の前側上部の垂直壁１８とに孔部（開口）１９，２０を連通して設け、導光部材１２の棒状の導光部材本体２１の後端部１３を孔部１９，２０に貫通させると共に、導光部材本体２１に設けた鍔部２２を孔部１９の周縁である垂直壁１７の前面に当接させつつ、導光部材１２の前端側の略矩形状の頭部２３を見返し３の上壁１１の前部上側（外側）に位置決め手段と係止手段と支持手段（符号は後述する）とで安定且つ容易に固定させることを特徴としている。
【００２３】
計器１としては、従来例の図６に示した自動車のコンビネーションメータにおけるスピードメータやタコメータ等が好適である。図１において、回路基板６はケース２の後部に収容されて後側のカバー１０で覆われて保護され、ケース２は指針８の軸部９を中心とした前側の湾曲壁２４を有し、湾曲壁２４は中心に開口２５を有し、開口２５内に回路基板６の表面側の指針照明用の光源（ＬＥＤ）２６が配置され、軸部９の周囲に透明（透光性）な筒状の導光部２７が配設され、指針８は軸部９に続く不透光性のキャップ部２８を有している。
【００２４】
回路基板６は、ケース２の上下の水平な壁部２９，３０の段部と、上部垂直壁１８の下側に直交して続く水平な壁部３１の後端とで支持され、水平な壁部３１の上側に照明用の光源（ＬＥＤ）１４が位置し、上部垂直壁１８の孔部２０は、上下の水平壁部２９，３１と後方の回路基板６の上部とで囲まれた空間３２に連通し、空間３２内に導光部材１２の導光部材本体２１の後端部１３が孔部１９，２０から挿入されて位置する。
【００２５】
見返し３の上部垂直壁１７は水平な爪部３３でケース２の上壁２９の枠片３４に貫通係止され、ケース２の上部水平壁３１と下壁３０との前端側の段部に文字板５が配置されて、見返し３の上壁１１の後端部と見返し３の短い下壁３５とで文字板５の上下端部が段部との間に挟持され、前面カバー４は傾斜状に配置されて、上部の水平な爪部３６で見返し３の上壁１１の前部の枠片３７に貫通係止されると共に、下部の水平な爪部３８で見返し下壁３５を経てケース下壁３０の枠片３９に貫通係止されている。ケース２と見返し３と各カバー４，１０と文字板５と指針８と導光部材１２とは合成樹脂で形成されている。
【００２６】
図２，図３の如く、導光部材１２は、下向きに湾曲した後端部（基端部）１３と、水平方向に真直に延びた中間部４０と、下向きに湾曲した前端部（先端部）１５とで成る棒状の導光部材本体２１と、導光部材本体２１の後端部１３と中間部４０との間（境部分）に固定された垂直な鍔部２２と、前端部１５と中間部４０との間（境部分）から前端部１５の前方にかけて位置して、前端部１５に一体に続いた頭部２３とで構成されている。導光部材本体２１は透明（透光性）であるが、鍔部２２と頭部２３とは透明である必要はない。
【００２７】
導光部材本体２１の後端部１３は中間部４０と同じ断面積で断面矩形状に形成され、後端面１３ａは装着時に垂直になるように後端部１３の上面１３ｂから下面１３ｃにかけて傾斜している。導光部材本体２１の前端部１５は図３の如く漸次上下方向の肉厚が薄くなるように上面１５ａが下面１５ｂよりも急勾配に傾斜して反射面１５ａを成し、中間部４０からの光を反射面１５ａで斜め後方下向きに反射させるようになっている。前端部１５の先端（下端）１５ｃは頭部２３の下向きに垂下された垂直な後壁４１に一体に続いている。
【００２８】
頭部２３は、図２，図５（ｂ）の如く導光部材本体２１の前端部１５の左右両側で垂直な後壁４１から前端部１５と中間部４０との境まで後方に延びた水平な左右一対の鍔壁４２と、図２の如く一対の鍔壁４２の間に形成されて反射面１５ａを収容した矩形状の開口４３と、垂直な後壁４１の上部で前方に延びた水平な板壁４４と、図２，図３の如く、板壁４４に設けられた矩形状の係止用の開口（被係止部）４５と、板壁４４の左右両端に直交して後端下部が水平な鍔壁４２の前端に続く左右一対の垂直な板部４６と、左右の板部４６の後端から水平な左右の鍔壁４２の上面に沿って傾斜状に形成された補強用のリブ４７と、水平な板壁４４の中央部下面に垂設された左右一対の平行に近接する位置決め用のリブ（被位置決め部）４８と、一対のリブ４８の基端（後端）下部において後壁４１に沿って垂直方向に切欠して設けられた位置決め兼支持用の凹溝４９とを備えたものである。
【００２９】
図３の如く、一対のリブ４８は前端上部と底部とにおいて水平な壁部４４，５０で相互に連結補強されている。導光部材本体２１の前端に続く垂直な後壁４１と、凹溝４９を下側に有する水平な壁部５０と、垂直なリブ４８や後側の鍔部２２等は上下の成形金型（図示せず）で同時に樹脂成形される。
【００３０】
図２，図５の如く一対のリブ４８の間に位置決め係合用の隙間５１が形成されている。隙間５１をなす一対のリブ４８が位置決め手段として機能する。水平な板壁４４の開口４５は一対のリブ４８よりも外側に幅広に形成され、開口４５の左右端は左右の板部４６の内面の手前に位置し、開口４５の左右端と板部４６の内面との間において板壁４４の上面に係止用の縁部４４ａを有している。開口縁部４４ａが係止手段として機能する。また、凹溝４９が位置決め兼支持手段として機能する。
【００３１】
図２，図３の如く導光部材１２の後部側の垂直な鍔部２２は、上半部２２ａが後方に位置し、下半部２２ｂが前方に位置し、上半部２２ａと下半部２２ｂとが段差２２ｃを介して前後にずれて配置されている。これは組付側の見返し３の形状に応じたものである。図２，図３においては図１の見返し３の傾斜状の上壁１１を水平な上壁１１とした例で説明する。
【００３２】
図２，図３の如く、見返し３の上壁１１の後端に立ち上げられた上部垂直壁１７に矩形状の孔部１９が設けられ、上部垂直壁１７の上端から後方に突出した爪片３３がケース２の枠片３４に係合している。孔部１９の左右両側で上部垂直壁１７に直交して水平な上壁１１に左右一対の短い後側のガイド壁５２が幅広の隙間を存して立設され、後側のガイド壁５２は前端の内向きの壁部５２ａを介して前側の幅狭の隙間をなす左右一対の長いガイド壁５３に続き、長いガイド壁５３の前端下部は、上壁１１から斜め前方に立ち上げられた傾斜壁部５４に交差し、傾斜壁部５４の前端壁５４ａは上壁１１と平行に屈曲している。
【００３３】
傾斜壁部５４の前端壁５４ａの上面に左右一対の後壁５５が立設され、一対の後壁５５は前方の左右及び前側の三方の各壁部５６，５７と共に矩形枠状の枠壁（受け壁ないし支持部）５８を構成し、三方の壁部５５〜５７は上壁１１に立設され、図３の如く本例の四方の壁部でなる枠壁５８の上端は同一高さに位置する。図２の如く傾斜壁部５４の左右の側壁５４ｂは枠壁５８の左右の壁部５６の後端に続いている。傾斜壁部５４の前端部５４ａは枠壁５８内の空間の上部に少し突出し、枠壁５８内の前半下部には薄板状の底壁５９が設けられ、底壁５９は上壁１１に一体に続き、傾斜壁部５４の前端壁５４ａと底壁５９とは上下に段差状に位置し、前端壁５４ａと底壁５９との間に段差状に開口１６ａが形成され、図３の如く開口１６ａは上壁１１の広い開口１６に連通し、広い開口１６は傾斜壁部５４の下方に位置している。
【００３４】
図２の如く枠壁５８の前壁（壁部）５７の前方において上壁１１の厚肉部分１１ａに左右一対の係止爪（係止部）６０が立設され、係止爪６０は可撓性（弾性）の板片６０ａと、板片６０ａの上部外側に突出した爪部６０ｂとで構成されている。一対の係止爪６０の中間のやや前方において位置決め用の突板（位置決め部）６１が上壁１１の厚肉部分１１ａに垂直に立設されている。
【００３５】
図３の如く係止爪６０は枠壁５８よりも高く突出し、突板６１は枠壁５８と同程度の高さで突出している。前方の突板６１は枠壁５８の中心線上（左右方向中央）に位置し、後方の左右一対のガイド壁５２，５３と枠壁５８との中心線（左右方向の中心）は一致し、中心線上に後方の孔部１９が位置している。上壁１１と傾斜壁部５４と枠壁５８と係止爪６０と突板６１と開口１６とは見返し３用の上下の成形金型で同時に樹脂成形される。
【００３６】
図３の如く、導光部材１２を前上がり（後下がり）に傾斜させた姿勢で、導光部材１２の後端部（基部）１３を見返し３とケース２との連続した各孔部１９，２０に挿入し、後端部１３側の鍔部２２を見返しの垂直壁１７の前面に当接させ、次いで導光部材１２の頭部２３側を下向きに押して、図４の如く頭部２３の前半の開口４５に見返し３側の係止爪６０を挿入係合させつつ、頭部２３の前端下部の一対の位置決め用のリブ４８の間に見返し側の突板６１を進入させ、同時に頭部２３の後半の一対の鍔壁４２を見返し側の枠壁５８の上端で支持させ、枠壁５８の前壁５７の上部を鍔壁４２とリブ４８との境の凹溝４９に進入係合させる。
【００３７】
見返し３の垂直壁１７への鍔部２２の当接は、上半の鍔部２２ａから先に行われ、上半の鍔部２２ａを支点に導光部材１２の頭部２３側を下向きに回動させて、図４の如く見返し３の係止爪６０等に係合させると同時に、下半の鍔部２２ｂが垂直壁１７の下部に当接する。鍔部２２を垂直壁１７に当接させることで、導光部材１２の長手（前後）方向の位置決めが行われ、頭部２３が係止爪６０等にワンタッチで簡単且つ確実に係合する。
【００３８】
図４の如く係止爪６０は開口４５の前後方向ほぼ中央に位置する。係止爪６０は、外向きの爪部６０ｂ（図２）の傾斜面を開口４５の下端に摺接させつつ内向きに撓んで、爪部６０ｂを開口４５内に進入させ、弾性的に外向きに復元して、爪部６０ｂを開口４５の左右の上端縁４４ａに係合させる。一対のリブ４８の間に突板６１が進入係合することで、頭部２３の左右方向の位置ずれが防止され、開口４５への左右一対の係止爪６０の係合が位置ずれなくスムーズに行われる。また、枠壁５８の前壁５８の上部が頭部２３の凹溝４９に係合することで、頭部２３の前後方向の位置ずれが防止され（位置決めが行われ）、枠壁５８の上端が左右の鍔壁４２を支持することで、頭部２３及び導光部材本体２１の上下方向の位置決めが行われる。
【００３９】
枠壁５８は前後左右の壁部５５〜５７の上端で左右の鍔壁４２を全体的に支持する（左右及び後側の壁部５５，５６の上端は左右の鍔壁４２の下面を支持する）ことが好ましい。そのためには、前壁５７の上部を左右及び後側の壁部５５，５６よりも上方に延長（突出）させて、凹溝４９に係合させることが好ましい。凹溝４９を左右の鍔壁４２の下部に周状に形成して枠壁５８の前後左右の各壁部５５〜５７の上部を凹溝４２内に係合させることも可能である。枠壁５８は導光部材１２に対する支持手段ないし受け部として機能する。
【００４０】
枠壁５８の左右一対の後壁５５の間には導光部材本体２１の下半側が進入する。導光部材本体２１は左右一対のガイド壁５３の間に案内収容され、ガイド壁５３の基端側の幅広の空間内（ガイド壁５２内）に導光部材本体２１の後端部１３と鍔部２２とが案内される。導光部材本体２１は見返し３の上壁１１の上に略平行に位置し、導光部材本体２１の反射面１５ａを有する傾斜状の前端部１５が見返し３の上壁１１の段差状の開口１６ａに近接対向して位置する。
【００４１】
導光部材本体２１の前端部１５は枠壁５８内に収容され、枠壁５８の上部開口は左右の鍔壁４２で封止されて外部への光漏れが防止される。また、後側の鍔部２２の前半下端の段差面２２ｃが見返し３の孔部１９の下端縁１７ａ（図４）で支持されることで、導光部材本体２１の後端部１３が上下方向に位置決めされて、導光部材本体２１の後端面１３ａが垂直な回路基板６の光源１４の前面に対向近接して位置する。
【００４２】
図５で、符号６０は係止爪、６１は位置決め用の突板、４４は水平な板壁、４５はその開口、４８はリブ、４６は垂直な板部、２１は導光部材本体、３は見返し、１１はその上壁、５４は傾斜壁部、５８は枠壁、５３はガイド壁、をそれぞれ示している。左右のガイド壁５３の内面に導光部材本体２１の左右の側面が近接して位置する。図２の鍔部２２は幅広の空間のガイド壁５２の内面に近接して位置する。
【００４３】
上記実施形態によれば、導光部材１２の後端部１３を見返し３及びケース２の孔部１９，２０に挿入し、鍔部２２で見返し３の壁部１７と接するようにし、導光部材１２の先端側の頭部２３に設けた一対のリブ４８の間に見返し側の突板６１を挿入して、導光部材１２の左右方向の中心位置を規定した状態で、係止爪６０を頭部２３の開口４５に係合させることで、導光部材１２が見返し３に簡単且つ確実に結合・固定される。この固定を安定して行わせるために、頭部２３の下向きの凹溝４９に見返し３の枠壁５８の一部５７を嵌めて頭部２３を支持させている。また、見返し３への導光部材１２の組付性を高めるために、左右一対のガイド壁（ガイドリブ）５２，５３を設けている。
【００４４】
これらの構成によって、文字板６（図１）と指針８とケース２と見返し３とカバー４，１０等の組付を行った後で（後から）、照明用の導光部材１２の組付及び固定作業を一つの工程で少ない作業工数で作業性良く行うことができる。
【００４５】
導光部材１２の光照射面１５ｂ（図３）、すなわち反射面１５ａとは反対側の下側の傾斜面１５ｂには、光源としてＬＥＤ１４を用いた場合における指向性による光ムラ（光量の差）を拡散（防止）するために、シボ（図示せず）を形成することが好ましい。シボとは、皮革模様や砂目模様や梨地模様等のことである。
【００４６】
なお、上記実施形態においては、見返し３の上壁１１の外側に導光部材１２を装着したが、例えば見返し３の左右の側壁等の外側に導光部材１２を装着する場合や、前記特許文献３記載の照明構造のように導光部材１２を見返し（３）の下側に装着する場合においても、上記した位置決め手段４８，６１や係止手段４５，６０や支持手段４９，５８等を適用することができる。
【００４７】
また、上記実施形態においては、導光部材１２の導光部材本体２１の後端部１３を下向きに湾曲させて回路基板６の内寄りの光源１４に近接させたが、光源１４が回路基板６の外寄りに位置する場合は、導光部材本体２１の後端部１３を真直に形成することも可能である。また、見返し３とケース２との両方に導光部材挿通用の孔部１９，２０を設けたが、ケース２の孔部２０を大きな開口や切欠部に代えることも可能である。
【００４８】
また、上記実施形態における位置決め手段や係止手段や支持手段として、突板６１を突起に代えたり、一対のリブ４８を一対のブロック部ないし一対の壁部や穴部（一対のリブ間の隙間を穴部内の空間とする）に代えたり、係止爪６０を係止アームに代えたり、左右方向（横断方向）の凹溝４９をスリットや穴部に代えたり、枠壁５８を前後左右の分離した壁部等に代えることも可能である。
【産業上の利用可能性】
【００４９】
本発明に係る計器の照明構造は、例えば自動車のメータの文字板を照明するための略棒状の導光部材を見返しの外壁部に簡単に作業性良く装着するために利用することができる。
【符号の説明】
【００５０】
１          計器
２          ケース
３          見返し
５          文字板
１２        導光部材
１３        後端部
１４        光源
１５        前端部
１６        開口
１９        孔部
２１        導光部材本体
２２        鍔部
２３        頭部
４５        開口（被係止部）
４９        凹溝
４８        リブ（被位置決め部）
５２，５３  ガイド壁
５８        枠壁（支持部）
５７        前壁（壁部）
６０        係止爪（係止部）
６１        突板（位置決め部）
【図１】
0005536564.tif 000002
【図２】
0005536564.tif 000003
【図３】
0005536564.tif 000004
【図４】
0005536564.tif 000005
【図５】
0005536564.tif 000006
【図６】
0005536564.tif 000007